(57)【要約】【課題】    本発明の目的は、排水口の形状に対応することができる排水口の消臭方法及び排水口用消臭具を提供するものである。【解決手段】    排水口の消臭方法は、消臭液を吸収した吸水性樹脂粒状物１１と、内部に吸水性樹脂粒状物１１を複数閉じ込めた柔軟性を有する通気性の袋体１０とを備え、この袋体１０を排水口１又は排水通路４内に設置し、柔軟性を有する袋体１０は排水口１又は排水通路４の形状に応じて変形し、排水口１又は排水通路４を閉じるようにするものである。【選択図】図１
2015109938.tif 000002
【特許請求の範囲】
【請求項１】
消臭液を吸収した吸水性樹脂粒状物と、内部に前記吸水性樹脂粒状物を複数閉じ込めた柔軟性を有する通気性の袋体とを備え、
この袋体を空き部屋の排水口又は排水通路内に設置し、柔軟性を有する前記袋体は前記排水口又は排水通路の形状に応じて変形し、前記排水口又は排水通路を閉じるようにする
ことを特徴とする空き部屋の消臭方法。    
【請求項２】
開口部を有した非通気性のカバー体で排水口を覆って前記排水口を塞ぐ
ことを特徴とする請求項１記載の空き部屋の消臭方法。 
【請求項３】
消臭液を吸収した吸水性樹脂粒状物と、内部に前記吸水性樹脂粒状物を複数閉じ込めた柔軟性を有する通気性の袋体とを備え、
この袋体を排水口又は排水通路内に設置し、柔軟性を有する前記袋体は前記排水口又は排水通路の形状に応じて変形し、前記排水口又は排水通路を閉じるようにする
ことを特徴とする排水口の消臭方法。
【請求項４】
吸水性樹脂粒状物の外表面上に消臭液を有し、袋体を排水口又は排水通路内に設置した場合、前記袋体の前記吸水性樹脂粒状物から前記消臭液が排水通路へ滴下される
ことを特徴とする請求項３記載の排水口の消臭方法。
【請求項５】
袋体を排水口に設置した場合、非通気性のカバー体で前記排水口の上部より外気に露出する前記袋体の部位を全体に亘って覆う
ことを特徴とする請求項３記載の排水口の消臭方法。
【請求項６】
袋体を排水通路内に設置した場合、非通気性のカバー体で前記排水口を全体に亘って覆う
ことを特徴とする請求項３記載の排水口の消臭方法。
【請求項７】
袋体を排水口に設置した場合、非通気性のカバー体で前記排水口の上部より外気に露出する前記袋体の部位を部分的に覆う
ことを特徴とする請求項３記載の排水口の消臭方法。
【請求項８】
袋体を排水通路内に設置した場合、非通気性のカバー体で前記排水口を部分的に覆う    ことを特徴とする請求項３記載の排水口の消臭方法。
【請求項９】
非通気性のカバー体は、非通気性で形成されたシート状のもの、又は、非通気性で形成された下方が開口した立体形状のものである
ことを特徴とする請求項５又は請求項６記載の排水口の消臭方法。
【請求項１０】
消臭液を吸収した吸水性樹脂粒状物と、内部に前記吸水性樹脂粒状物を複数閉じ込めた柔軟性を有する通気性の袋体とを備えている
ことを特徴とする排水口用消臭具。
【請求項１１】
吸水性樹脂粒状物の外表面上に消臭液を有している
ことを特徴とする請求項１０記載の排水口用消臭具。
【発明の詳細な説明】
【技術分野】
【０００１】
本発明は、空き部屋の消臭方法、排水口の消臭方法及び排水口用消臭具に係り、特に、排水口の形状に対応することができる空き部屋の消臭方法、排水口の消臭方法及び排水口用消臭具に関する。
【背景技術】
【０００２】
従来、排水管等で発生する臭気が排水口等の開口部から漏れるのを防ぐために、前記
開口部を防臭用カバーで覆うようにしている（特許文献１参照）。
【先行技術文献】
【特許文献】
【０００３】
【特許文献１】特開２００６−１２５１２９号公報
【発明の概要】
【発明が解決しようとする課題】
【０００４】
しかしながら、上述の防臭用カバーにあっては、種々ある排水口に応じて作らなければならないという問題点が生じた。
【０００５】
本発明は、上記の問題点に基づき、排水口の形状に対応することができる空き部屋の消臭方法、排水口の消臭方法及び排水口用消臭具を提供することを目的とする。
【課題を解決するための手段】
【０００６】
請求項１記載の空き部屋の消臭方法は、消臭液を吸収した吸水性樹脂粒状物と、内部に前記吸水性樹脂粒状物を複数閉じ込めた柔軟性を有する通気性の袋体とを備え、この袋体を空き部屋の排水口又は排水通路内に設置し、柔軟性を有する前記袋体は前記排水口又は排水通路の形状に応じて変形し、前記排水口又は排水通路を閉じるようにするものである。
【０００７】
また、請求項２記載の空き部屋の消臭方法は、請求項１記載の空き部屋の消臭方法において、開口部を有した非通気性のカバー体で排水口を覆って前記排水口を塞ぐものである。
【０００８】
また、請求項３記載の排水口の消臭方法は、消臭液を吸収した吸水性樹脂粒状物と、内部に前記吸水性樹脂粒状物を複数閉じ込めた柔軟性を有する通気性の袋体とを備え、この袋体を排水口又は排水通路内に設置し、柔軟性を有する前記袋体は前記排水口又は排水通路の形状に応じて変形し、前記排水口又は排水通路を閉じるようにするものである。
【０００９】
また、請求項４記載の排水口の消臭方法は、請求項３記載の排水口の消臭方法において、吸水性樹脂粒状物の外表面上に消臭液を有し、袋体を排水口又は排水通路内に設置した場合、前記袋体の前記吸水性樹脂粒状物から前記消臭液が排水通路へ滴下されるものである。
【００１０】
また、請求項５記載の排水口の消臭方法は、請求項３記載の排水口の消臭方法において、袋体を排水口に設置した場合、非通気性のカバー体で前記排水口の上部より外気に露出する前記袋体の部位を全体に亘って覆うものである。
【００１１】
また、請求項６記載の排水口の消臭方法は、請求項３記載の排水口の消臭方法において、袋体を排水通路内に設置した場合、非通気性のカバー体で前記排水口を全体に亘って覆うものである。
【００１２】
また、請求項７記載の排水口の消臭方法は、請求項３記載の排水口の消臭方法において、袋体を排水口に設置した場合、非通気性のカバー体で前記排水口の上部より外気に露出する前記袋体の部位を部分的に覆うものである。
【００１３】
また、請求項８記載の排水口の消臭方法は、請求項３記載の排水口の消臭方法において、袋体を排水通路内に設置した場合、非通気性のカバー体で前記排水口を部分的に覆うものである。
【００１４】
また、請求項９記載の排水口の消臭方法は、請求項５又は請求項６記載の排水口の消臭方法において、非通気性のカバー体は、非通気性で形成されたシート状のもの、又は、非通気性で形成された下方が開口した立体形状のものである。
【００１５】
また、請求項１０記載の排水口用消臭具は、消臭液を吸収した吸水性樹脂粒状物と、内部に前記吸水性樹脂粒状物を複数閉じ込めた柔軟性を有する通気性の袋体とを備えているものである。
【００１６】
また、請求項１１記載の排水口用消臭具は、請求項１０記載の排水口用消臭具において、吸水性樹脂粒状物の外表面上に消臭液を有しているものである。
【発明の効果】
【００１７】
請求項１記載の空き部屋の消臭方法によれば、空き部屋（例えば、賃貸住宅の空き部屋）の場合、内部に消臭液を吸収した吸水性樹脂粒状物を複数閉じ込めた柔軟性を有する袋体を排水口又は排水通路内に設置し、柔軟性を有する前記袋体は前記排水口又は排水通路の形状に応じて変形し、前記排水口又は排水通路を閉じるようにするため、柔軟性を有する通気性の袋体が種々ある排水口又は排水通路の形状に対応して変形し、排水口よりの臭いの排出をある程度遮断すると共に、吸水性樹脂粒状物から蒸発する消臭成分により排水口周囲の部屋に消臭効果を及ぼし、空き部屋の嫌なにおいを消臭すことができる。
【００１８】
また、請求項２記載の空き部屋の消臭方法によれば、前述の請求項１記載の発明の効果に加え、空き部屋（例えば、賃貸住宅の空き部屋）の空き期間、部屋の大きさ等を考慮して、開口部の大きさ、開口部の個数等を適宜決めて設置すれば、空き部屋の消臭効果を効率良く行うことができる。
【００１９】
また、請求項３記載の排水口の消臭方法によれば、排水口を使用しない場合、内部に消臭液を吸収した吸水性樹脂粒状物を複数閉じ込めた柔軟性を有する袋体袋体を排水口に設置し、柔軟性を有する前記袋体は前記排水口の形状に応じて変形し、前記排水口を閉じるように蓋をするため、種々ある排水口の形状に対応することができ、排水口より排出される臭いを遮断すると共に、吸水性樹脂粒状物から蒸発する消臭成分により排水口近傍を消臭することができる。
【００２０】
また、請求項４記載の排水口の消臭方法によれば、上述した請求項３記載の発明の効果に加え、吸水性樹脂粒状物の外表面上に消臭液を有し、袋体を排水口又は排水通路内に設置した場合、前記袋体の前記吸水性樹脂粒状物から前記消臭液が排水通路へ滴下されるため、排水通路へ消臭液を液体の状態で供給し、消臭効果を高めることができる。
【００２１】
また、請求項５記載の排水口の消臭方法によれば、上述した請求項３記載の発明の効果に加え、袋体を排水口に設置した場合、非通気性のカバー体で前記排水口の上部より外気に露出する前記袋体の部位を全体に亘って覆うため、露出する前記袋体の部位よりの消臭液の蒸発を抑制し、抑制した分、消臭効果を排水口の下方の排水通路に及ぼすことができる。
【００２２】
また、請求項６記載の排水口の消臭方法によれば、上述した請求項３記載の発明の効果に加え、袋体を排水通路内に設置した場合、非通気性のカバー体で前記排水口を全体に亘って覆うため、前記排水口よりの前記袋体の消臭液の蒸発を抑制し、抑制した分、消臭効果を排水口の下方の排水通路に及ぼすことができる。
【００２３】
また、請求項７記載の排水口の消臭方法によれば、上述した請求項３記載の発明の効果に加え、袋体を排水口に設置した場合、非通気性のカバー体で前記排水口の上部より外気に露出する前記袋体の部位を部分的に覆うため、消臭液の量に余裕がある場合、非通気性のカバー体で覆われていない部位より、消臭液が蒸発して排出され、排水通路以外の所へも消臭効果を及ぼすことができる。
【００２４】
また、請求項８記載の排水口の消臭方法によれば、上述した請求項３記載の発明の効果に加え、袋体を排水通路内に設置した場合、非通気性のカバー体で前記排水口を部分的に覆うため、消臭液の量に余裕がある場合、非通気性のカバー体で覆われていない排水口の部位より、消臭液が蒸発して排出され、排水通路以外の所へも消臭効果を及ぼすことができる。
【００２５】
また、請求項１０記載の排水口用消臭具によれば、消臭液を吸収した吸水性樹脂粒状物と、内部に前記吸水性樹脂粒状物を複数閉じ込めた柔軟性を有する通気性の袋体とを備えているため、排水口を使用しない場合、内部に消臭液を吸収した吸水性樹脂粒状物を複数閉じ込めた柔軟性を有する袋体を排水口又は排水通路内に設置すれば、柔軟性を有する前記袋体は前記排水口又は排水通路の形状に応じて変形し、前記排水口又は排水通路を閉じるようにすることができ、特に、柔軟性を有する通気性の袋体は種々ある排水口又は排水通路の形状に対応して変形し、排水口よりの臭いの排出を遮断すると共に、吸水性樹脂粒状物から蒸発する消臭成分により排水口よりの嫌な臭いの排出を防止することができる。
【００２６】
また、請求項１１記載の排水口の消臭方法によれば、上述した請求項１０記載の発明の効果に加え、吸水性樹脂粒状物の外表面上に消臭液を有しているため、袋体を排水口又は排水通路内に設置した場合、前記袋体の前記吸水性樹脂粒状物から前記消臭液が排水通路へ滴下して、排水通路へ消臭液を液体の状態で供給し、消臭効果を高めることができる。
【図面の簡単な説明】
【００２７】
【図１】図１は、本発明の一実施例の排水口の消臭方法に使用される排水口用消臭具の概略的図で、図１（ａ）は、柔軟性を有する袋体に消臭液を吸収した吸水性樹脂粒状物を収納している状態の概略的図であり、図１（ｂ）は、柔軟性を有する袋体に消臭液を吸収した吸水性樹脂粒状物を収納した状態の概略的図である。
【図２】図２は、図１（ｂ）の柔軟性を有する袋体に消臭液を吸収した吸水性樹脂粒状物を収納した排水口用消臭具の一使用形態である流しの排水口に適用する状態を示す概略的斜視図である。
【図３】図３は、図２の概略的断面図である。
【図４】図４は、図３の排水口に設けられたバスケットに排水口用消臭具が載置され排水通路を閉じるようにした状態の概略的断面図である。
【図５】図５は、図４の排水口用消臭具の袋体内に吸水性樹脂粒状物が消臭液を吸収できない以上に余分に消臭剤が含まれ、袋体を排水通路に設置した場合、前記袋体から前記消臭剤が前記排水通路へ滴下される状態の概略的断面図である。
【図６】図６は、図４と異なる他の実施例で目皿に図１（ｂ）の排水口用消臭具を設置し、排水口を閉じるように蓋をした状態の概略的断面図である。
【図７】図７は、図１（ｂ）の排水口用消臭具を洗濯機の排水口に設置し、排水口を閉じるように蓋をした状態の概略的断面図である。
【図８】図８は、図１（ｂ）の排水口用消臭具を洗面所に設置し、排水口を閉じるように蓋をした状態の概略的断面図である。
【図９】図９は、図６と異なる他の実施例で、図６記載の袋体を非通気性のカバー体で覆った状態の概略的断面図である。
【図１０】図１０は、図９の概略的平面図である。
【図１１】図１１は、図９と異なる他の実施例で、図６記載の袋体を非通気性のカバー体で覆った状態の概略的断面図である。
【図１２】図１２は、図１１の概略的平面図である。
【図１３】図１３は、図１１と異なる他の実施例で、図６記載の袋体を非通気性のカバー体で覆った状態の概略的断面図である。
【図１４】図１４は、図４と異なる他の実施例で、図４記載の排水口を非通気性のカバー体で覆った状態の概略的断面図である。
【図１５】図１５は、図１４の概略的平面図である。
【図１６】図１６は、図１０記載の非通気性のカバー体に開口部を形成する過程を示す概略的図である。
【図１７】図１７は、図１６の非通気性のカバー体に開口部を形成した後、図６記載の袋体を非通気性のカバー体で覆った状態の概略的断面図である。
【図１８】図１８は、図１０記載の非通気性のカバー体に開口部を形成する過程を示す概略的図である。
【図１９】図１９は、図１８の非通気性のカバー体に開口部を形成した後、図４記載の袋体を非通気性のカバー体で覆った状態の概略的断面図である。
【図２０】図２０は、図１９と異なる他の実施例を示すもので、空き部屋の目皿に図１（ｂ）の排水口用消臭具を設置し、排水口を閉じるように蓋をした状態の概略的断面図である。
【図２１】図２１は、図２０と異なる他の実施例を示すもので、空き部屋の排水口に設けられたバスケットに排水口用消臭具が載置され排水通路を閉じるようにした状態の概略的断面図である。
【図２２】図２２は、図２１と異なる他の実施例を示すもので、袋体を空き部屋の排水通路に設置した場合、前記袋体から前記消臭剤が前記排水通路へ滴下される状態の概略的断面図である。
【図２３】図２３は、図２２と異なる他の実施例を示すもので、図２２の排水口を開口部を有した非通気性のカバー体で覆った状態の概略的断面図である。
【図２４】図２４は、図２３の概略的平面図である。
【図２５】図２５は、図２３と異なる他の実施例を示すもので、図２１の排水口を開口部を有した非通気性のカバー体で覆った状態の概略的断面図である。
【図２６】図２６は、図２５の概略的平面図である。
【発明を実施するための形態】
【００２８】
本発明の一実施例の空き部屋の消臭方法、排水口の消臭方法及び排水口用消臭具を参照して説明する。
【００２９】
図１（ｂ）に示す１０は排水口用消臭具で、排水口用消臭具１０は、消臭液を吸収した吸水性樹脂粒状物１１（吸水性樹脂粒状物１１は、言い換えれば、吸水性ポリマ−に消臭液剤を含浸させたもの）と、内部に吸水性樹脂粒状物１１を複数閉じ込めた柔軟性を有する通気性の袋体１２とを備えている。
排水口１は、例えば、図１〜図５に示す流しの排水口、図７に示す洗濯機の排水口、図８に示す洗面所の排水口等である。
【００３０】
排水口用消臭具１０の袋体１２を排水口１又は排水通路４内に設置し、例えば、図２、図３に示すように、目皿２を取り、バスケット３内に載置して排水通路４を閉じるようにしたり（図４及び図５参照）、図６に示すように、目皿２を取らないで、目皿２の上に載置し排水口１を閉じるように蓋をしたり、図７に示すように、洗濯機の排水口１に設置し、排水口１を閉じるようにしたり、図８に示すように、洗面所の排水口１に設置し、排水口１を閉じるように蓋をしたりする。
そうすると、柔軟性を有する袋体１２は排水口１の形状に応じて変形し、排水口１を閉じるように蓋をすることができる（図４、図５、図６、図７及び図８参照）。
【００３１】
上述した排水口の消臭方法（排水口用消臭具１０）によれば、排水口１を使用しない場合、内部に消臭液を吸収した吸水性樹脂粒状物１１を複数閉じ込めた柔軟性を有する通気性の袋体１２を排水口１又は排水通路４内に設置し、柔軟性を有する袋体１２は排水口１又は排水通路４の形状に応じて変形し、排水口１又は排水通路４を閉じるようにするため、柔軟性を有する通気性の袋体１２が種々ある排水口１又は排水通路４の形状に対応して変形し、排水口１よりの臭いの排出を遮断すると共に、吸水性樹脂粒状物１１から蒸発する消臭成分により排水口１よりの嫌な臭いの排出を防止することができる。
【００３２】
なお、より望ましくは、袋体１２内には、吸水性樹脂粒状物１１が消臭液を吸収できない以上に余分に消臭液が含まれている、つまり、吸水性樹脂粒状物１１の外表面上に消臭液を有し、袋体１２を排水口１又は排水通路４内に設置した場合、袋体１２の吸水性樹脂粒状物１１から消臭液Ｓが排水通路４へ滴下されるようにするのが良い(図５参照)。
これは、 吸水性樹脂粒状物１１の外表面上に消臭液Ｓを有し、袋体１２を排水口１又は排水通路４内に設置した場合、袋体１２の吸水性樹脂粒状物１１から消臭液Ｓが排水通路４へ滴下されるため、排水通路４へも消臭液Ｓを液体の状態で供給し、消臭効果を高めることができるからである。   
【００３３】
また、図９、図１１及び図１３に示すように、袋体１２を排水口１に設置した場合、非通気性のカバー体３０で排水口１の上部より外気に露出する袋体１２の部位を全体に亘って覆うようにすれば、露出する袋体１２の部位よりの消臭液の蒸発を抑制し、抑制した分、消臭効果を排水口１の下方の排水通路４に及ぼすことができる。
【００３４】
非通気性のカバー体３０は、例えば、非通気性の合成樹脂で成形することができ、図９及び図１０に示す非通気性で形成されたシート状のもの、又は、図１１及び図１３に示す非通気性で形成された下方が開口した立体形状のもの（略円錐形状のもの、その他、図示しないが、コップ形状のもの等）である。
【００３５】
即ち、図９に示す非通気性のカバー体３０は、非通気性で形成されたシート状のもので、図１０は、図９の概略的平面図である。
図１０に示すＫは、切り取り線を示している。図９に示す非通気性のカバー体３０は、袋体１２と別体で、単に、袋体１２に載置するだけでも、また、袋体１２に接着剤等で一体化するようにしても良い。
【００３６】
また、図９及び図１０に示す非通気性のカバー体３０は、非通気性で形成されたシート状のもので、図１０は、図９の概略的平面図である。
図１０に示すＫは、切り取り線を示している。図９に示す非通気性のカバー体３０は、袋体１２と別体で、単に、袋体１２に載置するだけでも、また、袋体１２に接着剤等で一体化するようにしても良い。
【００３７】
また、図１１及び図１２に示す非通気性のカバー体３０は、非通気性で形成された下方が開口した立体形状のもので、図１２は、図１１の概略的平面図である。
図１１に示す非通気性のカバー体３０は、袋体１２と別体で、単に、袋体１２の外方に載置するだけでも、また、図１３に示すように、袋体１２に接着剤等で一体化するようにしても良い。なお、図１１〜図１３に示すＫは、切り取り線を示している。
【００３８】
また、図１４及び図１５に示すように、袋体１０を排水通路４内に設置した場合、非通気性のカバー体３０で排水口１を全体に亘って覆うようにすれば、露出する袋体１２の部位よりの消臭液の蒸発を抑制し、抑制した分、消臭効果を排水口１の下方の排水通路４に及ぼすことができる。
また、図１４及び図１５に示す非通気性のカバー体３０は、非通気性で形成されたシート状のもので、図１５は、図１４の概略的平面図である。
図１５に示すＫは、切り取り線を示している。図１５に示す非通気性のカバー体３０は、袋体１２と別体で、単に、排水口１を全体に亘って覆うようにしたものである。
なお、非通気性のカバー体３０は、図１４及び図１５に示す非通気性で形成されたシート状のものに限らず、例えば、図１１に示す非通気性で形成された下方が開口した立体形状のもの（略円錐形状のもの、その他、図示しないが、コップ形状のもの等）でも良い。
【００３９】
また、図９、図１１、図１３及び図１４に示すように、袋体１２を排水口１に設置した場合、非通気性のカバー体３０で排水口１の上部より外気に露出する袋体１２の部位を全体に亘って覆うようにしたが、図１６及び図１７に示すように、非通気性のカバー体３０で排水口１を部分的に覆うようにしても良い。
これは、袋体１０を排水口１に設置した場合、非通気性のカバー体３０で排水口１の上部より外気に露出する袋体１０の部位を部分的に覆うことにより、消臭液の量に余裕がある場合、非通気性のカバー体３０で覆われていない部位（非通気性のカバー体３０の開口部３０Ａに対向する袋体１０の部位）より、消臭液が蒸発して排出され、排水通路４以外の所へも消臭効果を及ぼすことができるからである。
【００４０】
また、図１４及び図１５に示すように、袋体１０を排水通路４内に設置した場合、非通気性のカバー体３０で排水口１を全体に亘って覆うようにしたが、図１８及び図１９に示すように、非通気性のカバー体３０で排水口１を部分的に覆うようにしても良い。
これは、袋体１０内の吸水性樹脂粒状物１１の消臭液の量に余裕がある場合、非通気性のカバー体３０で覆われていない排水口１の部位（非通気性のカバー体３０の開口部３０Ａに対向する排水口１の部位）より、消臭液が蒸発して排出され、排水通路４以外の所へも消臭効果を及ぼすことができるようにすることができるからである。
【００４１】
なお、上述の実施例においては、図１６、図１８とシート状の非通気性のカバー体３０に開口部３０Ａを形成するようにしたが、図１１乃至図１３記載の立体形状の非通気性のカバー体３０の切り取り線Ｋに沿って切り取るようにして開口部３０Ａを形成するようにしても良い。
【００４２】
本願発明の消臭方法を賃貸住宅の空き部屋の排水口、排水通路に適用した場合、特に、有効である。
即ち、通常、賃貸住宅に入居者がいれば、排水口の中のトラップに水が溜まって、排水通路の臭いの逆流を防ぐが、賃貸住宅の空き部屋の空室期間が長くなると、トラップの中の水が蒸発してなくなり、排水管の臭いが逆流し、この臭いが部屋内にこもる。
このような場合、図２０に示すように、袋体１２を空き部屋の排水口１に設置し、排水口１を閉じるようにする。
つまり、内部に消臭液を吸収した吸水性樹脂粒状物１１を複数閉じ込めた柔軟性を有する袋体１２を排水口１に設置し、柔軟性を有する袋体１２は排水口１の形状に応じて変形し、排水口１をある程度閉じるようにするため、柔軟性を有する通気性の袋体１２が種々ある排水口１の形状に対応して変形し、排水口１よりの臭いの排出をある程度遮断すると共に、吸水性樹脂粒状物１１から蒸発する消臭成分により排水口１周囲の部屋に消臭効果を及ぼし、空き部屋の嫌なにおいを消臭すことができる。
なお、本実施例（図２０）においては、上述した実施例と同一部分に同一符号を付してその説明を省略する。
【００４３】
また、図２１及び図２２に示すように、袋体１２を空き部屋の排水通路４内に設置し、排水通路４を閉じるようにする。
つまり、内部に消臭液を吸収した吸水性樹脂粒状物１１を複数閉じ込めた柔軟性を有する袋体１２を排水通路４内に設置し、柔軟性を有する袋体１２は排水通路４の形状に応じて変形し、排水通路４をある程度閉じるようにするため、柔軟性を有する通気性の袋体１２が種々ある排水通路４の形状に対応して変形し、排水通路４よりの臭いの排出をある程度遮断すると共に、吸水性樹脂粒状物１１から蒸発する消臭成分により排水通路４周囲の部屋に消臭効果を及ぼし、空き部屋の嫌なにおいを消臭すことができるものである。
なお、本実施例（図２１及び図２２）においては、上述した実施例と同一部分に同一符号を付してその説明を省略する。
【００４４】
また、図２３及び図２４（又は、図２５及び図２６）に示すように、開口部３０Ａを有した非通気性のカバー体３０で排水口１を覆って排水口１を塞ぐようにしても良い。非通気性のカバー体３０の裏面には接着剤が塗布されている。
なお、空き部屋（例えば、賃貸住宅の空き部屋）の空き期間、部屋の大きさ等を考慮して、開口部３０Ａの大きさ、開口部３０Ａの個数等を適宜決めて設置すれば、空き部屋の消臭効果を効率良く行うことができるものである。
また、本実施例［図２３及び図２４（又は、図２５及び図２６）］においては、上述した実施例と同一部分に同一符号を付してその説明を省略する。
【符号の説明】
【００４５】
１      排水口
１１      吸水性樹脂粒状物
１２      袋体
【図１】
2015109938.tif 000003
【図２】
2015109938.tif 000004
【図３】
2015109938.tif 000005
【図４】
2015109938.tif 000006
【図５】
2015109938.tif 000007
【図６】
2015109938.tif 000008
【図７】
2015109938.tif 000009
【図８】
2015109938.tif 000010
【図９】
2015109938.tif 000011
【図１０】
2015109938.tif 000012
【図１１】
2015109938.tif 000013
【図１２】
2015109938.tif 000014
【図１３】
2015109938.tif 000015
【図１４】
2015109938.tif 000016
【図１５】
2015109938.tif 000017
【図１６】
2015109938.tif 000018
【図１７】
2015109938.tif 000019
【図１８】
2015109938.tif 000020
【図１９】
2015109938.tif 000021
【図２０】
2015109938.tif 000022
【図２１】
2015109938.tif 000023
【図２２】
2015109938.tif 000024
【図２３】
2015109938.tif 000025
【図２４】
2015109938.tif 000026
【図２５】
2015109938.tif 000027
【図２６】
2015109938.tif 000028